(57)【特許請求の範囲】
【請求項１】
電子機器と上記電子機器に装着される装着装置とからなる電子機器システムにおいて、
上記装着装置は、
上記電子機器に装着された際上記電子機器と無線通信する第１の無線通信部と、
上記電子機器から上記第１の無線通信部を介して、電子機器専用の装着装置である旨を通知するように要求する通知要求信号を受信すると、上記電子機器専用の装着装置である旨を通知する通知信号を、上記第１の無線通信部を介して送出する通知信号送出部と
を有し、
上記電子機器は、
装着された上記装着装置と無線通信する第２の無線通信部と、
上記電子機器に対して上記装着装置が装着され、上記第１の無線通信部に接近した際に、上記第１の無線通信部と上記第２の無線通信部との間の無線通信を中継するための通信中継部と、
上記通知要求信号を上記第２の無線通信部を介して送出する通知要求信号送出部と、
上記装着装置から上記第２の無線通信部を介して上記通知信号を受信した場合、上記電子機器専用の装着装置が装着されていると判断し、上記装着装置から上記第２の無線通信部を介して上記通知信号を受信しない場合、電子機器専用の上記装着装置が装着されていないと判断する判断部と
を具える電子機器システム。
【請求項２】
上記装着装置は、上記電子機器に装着された際当該装着された電子機器に対して駆動電力を供給する電力供給手段を有する
請求項１に記載の電子機器システム。
【請求項３】
上記電子機器は、上記電子機器専用の装着装置が装着されていないと判断した場合、上記電子機器専用の装着装置が装着されていない旨を通知する通知手段を有する
請求項１に記載の電子機器システム。
【請求項４】
上記第１の無線通信部及び上記第２の無線通信部は、上記電子機器に対して上記装着装置が装着された結果互いに近接した際無線通信する
請求項１に記載の電子機器システム。
【請求項５】
上記通信中継部は、上記電子機器専用の装着装置が装着されているか否かの判断後、上記第１の無線通信部と上記第２の無線通信部との間の無線通信を中継しない
請求項１に記載の電子機器システム。
【請求項６】
電子機器と上記電子機器に装着される装着装置とからなる電子機器システムの装着装置判断方法において、
上記装着装置は、
上記電子機器に装着された際上記電子機器と無線通信する第１の無線通信部を介して、上記電子機器から電子機器専用の装着装置である旨を通知するように要求する通知要求信号を受信すると、上記電子機器専用の装着装置である旨を通知する通知信号を上記第１の無線通信部を介して送出する通知信号送出ステップ
を有し、
上記電子機器は、
上記電子機器に対して上記装着装置が装着され、上記第１の無線通信部に接近した際に、上記第１の無線通信部と無線通信を中継する通信中継部を介して上記第１の無線通信部と無線通信する第２の無線通信部を介して、上記通知要求信号を送出する通知要求信号送出ステップと、
上記装着装置から上記第２の無線通信部を介して上記通知信号を受信した場合、上記電子機器専用の装着装置が装着されていると判断し、上記装着装置から上記第２の無線通信部を介して上記通知信号を受信しない場合、上記電子機器専用の装着装置が装着されていないと判断する判断ステップ
を具える装着装置判断方法。
【請求項７】
電子機器に装着された際上記電子機器と無線通信する第１の無線通信部と、上記電子機器から上記第１の無線通信部を介して電子機器専用の装着装置である旨を通知するように要求する通知要求信号を受信すると上記電子機器専用の装着装置である旨を通知する通知信号を上記第１の無線通信部を介して送出する通知信号送出部とを有する装着装置が装着された際、
上記装着装置と無線通信する第２の無線通信部と、
上記電子機器に対して上記装着装置が装着され、上記第１の無線通信部に接近した際に、上記第１の無線通信部と上記第２の無線通信部との間の無線通信を中継するための通信中継部と、
上記通知要求信号を上記第２の無線通信部を介して送出する通知要求信号送出部と、
上記装着装置から上記第２の無線通信部を介して上記通知信号を受信した場合、上記電子機器専用の装着装置が装着されていると判断し、上記装着装置から上記第２の無線通信部を介して上記通知信号を受信しない場合、上記電子機器専用の装着装置が装着されていないと判断する判断部と
を具える電子機器。
【請求項８】
装着された装着装置と無線通信する第２の無線通信部と、電子機器に対して上記装着装置が装着され、第１の無線通信部に接近した際に、上記第１の無線通信部と上記第２の無線通信部との間の無線通信を中継するための通信中継部と、電子機器専用の装着装置である旨を通知するように要求する通知要求信号を上記第２の無線通信部を介して送出する通知要求信号送出部と、上記装着装置から上記第２の無線通信部を介して電子機器専用の装着装置である旨を通知する通知信号を受信した場合上記電子機器専用の装着装置が装着されていると判断し、上記装着装置から上記第２の無線通信部を介して上記通知信号を受信しない場合上記電子機器専用の装着装置が装着されていないと判断する判断部とを有する電子機器に装着された際、
上記電子機器と無線通信する上記第１の無線通信部と、
上記電子機器から上記第１の無線通信部を介して上記通知要求信号を受信すると、上記通知信号を上記第１の無線通信部を介して送出する通知信号送出部と
を具える装着装置。
【発明の詳細な説明】
【技術分野】
【０００１】
本発明は電子機器システム、装着装置判断方法、電子機器及び装着装置に関し、例えば、携帯電話機と、この携帯電話機を駆動させる駆動電力を供給するためのバッテリとに適用して好適なものである。
【背景技術】
【０００２】
従来の携帯電話機には、この携帯電話機を駆動させる駆動電力を供給するためのバッテリが装着される。これにより携帯電話機は、装着されたバッテリから供給される駆動電力により駆動することができる（例えば特許文献１参照）。
【特許文献１】特開２００３−６０５１５公報
【発明の開示】
【発明が解決しようとする課題】
【０００３】
ところで一般的に、携帯電話機に装着されることを目的として製造された専用バッテリは、適切な駆動電力を供給して携帯電話機を正常に駆動させることができるかどうか十分テストされてから出荷される。
【０００４】
しかしながらこの携帯電話機に対して、専用バッテリではないバッテリが誤って装着されてしまうと、当該誤って装着されたバッテリから携帯電話機に対して適切な駆動電力が供給されず、その結果この携帯電話機の動作に不具合が生じてしまう可能性があった。
【０００５】
本発明は以上の点を考慮してなされたもので、動作不具合を回避し得る電子機器システム、装着装置判断方法、電子機器及び装着装置を提案しようとするものである。
【課題を解決するための手段】
【０００６】
かかる課題を解決するため本発明においては、電子機器と電子機器に装着される装着装置とからなる電子機器システムにおいて、装着装置は、電子機器に装着された際電子機器と無線通信する第１の無線通信部と、電子機器から第１の無線通信部を介して、電子機器専用の装着装置である旨を通知するように要求する通知要求信号を受信すると、電子機器専用の装着装置である旨を通知する通知信号を、第１の無線通信部を介して送出する通知信号送出部とを有し、電子機器は、装着された装着装置と無線通信する第２の無線通信部と、電子機器に対して装着装置が装着され、第１の無線通信部に接近した際に、第１の無線通信部と第２の無線通信部との間の無線通信を中継するための通信中継部と、通知要求信号を第２の無線通信部を介して送出する通知要求信号送出部と、装着装置から第２の無線通信部を介して通知信号を受信した場合、電子機器専用の装着装置が装着されていると判断し、装着装置から第２の無線通信部を介して通知信号を受信しない場合、電子機器専用の装着装置が装着されていないと判断する判断部とを設けるようにした。
【０００７】
この結果電子機器は、装着された装着装置の第１の無線通信部が通信中継部に接近した際、通信中継部を介して第１の無線通信部と無線通信を行ない装着装置からの専用の装着装置である旨の通知信号を受信するか否かによって、この装着装置が電子機器専用のものであるか否かを判断することができる。
【発明の効果】
【０００８】
上述のように本発明によれば、電子機器と電子機器に装着される装着装置とからなる電子機器システムにおいて、装着装置は、電子機器に装着された際電子機器と無線通信する第１の無線通信部と、電子機器から第１の無線通信部を介して、電子機器専用の装着装置である旨を通知するように要求する通知要求信号を受信すると、電子機器専用の装着装置である旨を通知する通知信号を、第１の無線通信部を介して送出する通知信号送出部とを有し、電子機器は、装着された装着装置と無線通信する第２の無線通信部と、電子機器に対して装着装置が装着され、第１の無線通信部に接近した際に、第１の無線通信部と第２の無線通信部との間の無線通信を中継するための通信中継部と、通知要求信号を第２の無線通信部を介して送出する通知要求信号送出部と、装着装置ら第２の無線通信部を介して通知信号を受信した場合、電子機器専用の装着装置が装着されていると判断し、装着装置から第２の無線通信部を介して通知信号を受信しない場合、電子機器専用の装着装置が装着されていないと判断する判断部とを設けることにより、電子機器に装着装置が装着された装着装置の第１の無線通信部が通信中継部に接近した際、通信中継部を介して第１の無線通信部と無線通信を行ない装着装置からの専用の装着装置である旨の通知信号を受信するか否かによって、この装着装置が電子機器専用のものであるか否かを判断することができるので、専用装着装置が搭載されていないときの電子機器の動作不具合を未然に回避でき、かくして専用装着装置が搭載されていないときの電子機器の動作不具合を未然に回避し得る電子機器システムを実現できる。
【発明を実施するための最良の形態】
【０００９】
以下図面について、本発明の一実施の形態を詳述する。
【００１０】
（１）携帯電話機電力供給システムの構成
図１において、１は全体として携帯電話機電力供給システムを示し、携帯電話機２と、携帯電話機２を駆動させる駆動電力を供給するためのバッテリ装置３とを有する。
【００１１】
この携帯電話機２は、所定範囲内に近接した外部装置と近接無線通信するための外部通信用環状アンテナ４及びデータ送受信部５を有する。この外部通信用環状アンテナ４は、図２にも併せて示すように、例えば導電性線材が環状に形成されることによってコイル状に構成されており、例えば携帯電話機２の筐体表面２Ａ側に内蔵されている。因みに本実施の形態の場合この近接無線通信方式としては、FeliCa（R）方式やISO14443A/B等の方式が適用される。
【００１２】
そしてこの携帯電話機２全体を統括的に制御する制御部６が、データ送受信部５及び外部通信用環状アンテナ４を順次介して電磁波を外部に放出している際、この外部通信用環状アンテナ４に対して外部装置（この場合非接触ＩＣカード）７の環状アンテナ８がほぼ平行に且つ所定範囲内に入るように近接すると、携帯電話機２の外部通信用環状アンテナ４と外部装置７の環状アンテナ８とが電磁的に結合した状態になる。これにより携帯電話機２の制御部６は、データ送受信部５及び外部通信用環状アンテナ４を順次介して外部装置７に対しデータを送出することができると共に、外部装置７から送出されたデータを外部通信用環状アンテナ４及びデータ送受信部５を順次介して受信することができる。
【００１３】
またこの携帯電話機２は、筐体表面２Ａに近接された外部装置７と近接無線通信するための外部通信用環状アンテナ４よりも筐体裏面２Ｂ側であってこの外部通信用環状アンテナ４とほぼ平行に且つ所定範囲内に入るように近接されて設けられた第１の内部環状アンテナ９と、筐体裏面２Ｂ側から装着されるバッテリ装置３の上面に設けられたバッテリ環状アンテナ１０とほぼ平行に且つ所定範囲内に入るように近接されて設けられた第２の内部環状アンテナ１１と、第１の内部環状アンテナ９及び第２の内部環状アンテナ１１を電気的に接続又は非接続にするスイッチ１２とからなる通信中継回路１３を有する。
【００１４】
一方バッテリ装置３は、携帯電話機２の筐体裏面２Ｂ側に装着された際当該装着された携帯電話機２に対して駆動電力を供給するための電力供給部１４と、バッテリ装置３の上面に設けられたバッテリ環状アンテナ１０を介して近接無線通信する制御部１５とを有する。因みに本実施の形態の場合、このバッテリ装置３が携帯電話機２に装着された際、バッテリ環状アンテナ１０と外部通信用環状アンテナ４とは、平行とならず例えば直交する位置関係になることから、電磁的に直接結合しないようになされている。
【００１５】
携帯電話機２の制御部６は、例えばユーザにより操作部１７を介して電源投入操作が行われると、装着されたバッテリ装置３から供給される駆動電力により駆動開始すると共に、第１の内部環状アンテナ９及び第２の内部環状アンテナ１１を電気的に接続するように命令する接続命令信号を通信中継回路１３のスイッチ１２に対して送出する。この際通信中継回路１３のスイッチ１２は、携帯電話機２の制御部６からの接続命令信号を受信すると、これに応じて第１の内部環状アンテナ９及び第２の内部環状アンテナ１１を電気的に接続する。
【００１６】
次いで携帯電話機２の制御部６は、データ送受信部５及び外部通信用環状アンテナ４を順次介して電磁波を送出する。これにより外部通信用環状アンテナ４は、この外部通信用環状アンテナ４とほぼ平行に且つ近接するように設けられた第１の内部環状アンテナ９と、第１の内部環状アンテナ９及び第２の内部環状アンテナ１１を電気的に接続しているスイッチ１２と、バッテリ環状アンテナ１０とほぼ平行に且つ近接するように設けられた第２の内部環状アンテナ１１とを順次介して、バッテリ環状アンテナ１０と電磁的に結合することができる。
【００１７】
この状態において携帯電話機２の制御部６は、この携帯電話機２専用のバッテリであるか否かを通知するように要求する通知要求信号を、データ送受信部５及び外部通信用環状アンテナ４を順次介して送出する。
【００１８】
バッテリ装置３の制御部１５は、外部通信用環状アンテナ４から送出された通知要求信号を、第１の内部環状アンテナ９、第２の内部環状アンテナ１１及びバッテリ環状アンテナ１０を順次介して受信すると、この携帯電話機２専用のバッテリである旨を通知するための専用バッテリ通知信号を、バッテリ環状アンテナ１０を介して送出する。
【００１９】
携帯電話機２の制御部６は、バッテリ環状アンテナ１０から送出された専用バッテリ通知信号を、第２の内部環状アンテナ１１、第１の内部環状アンテナ９、外部通信用環状アンテナ４及びデータ送受信部５を順次介して受信し、これによりバッテリ装置３がこの携帯電話機２専用のバッテリであることを認識すると、このバッテリ装置３から供給されている駆動電力によりそのまま駆動し続ける。これに対して携帯電話機２の制御部６は、所定時間経過してもバッテリ装置３から専用バッテリ通知信号を受信できない場合、この携帯電話機２専用のバッテリが装着されていないと判断し、この旨を示した警告情報を表示部１６に表示するようになされている。
【００２０】
因みに本実施の形態の場合この携帯電話機２の制御部６は、バッテリ装置３からの専用バッテリ通知信号を受信すると、これに応じて第１の内部環状アンテナ９及び第２の内部環状アンテナ１１を電気的に非接続するように命令する非接続命令信号を通信中継回路１３のスイッチ１２に対して送出する。これにより通信中継回路１３のスイッチ１２は、第１の内部環状アンテナ９及び第２の内部環状アンテナ１１を電気的に非接続する。この結果この携帯電話機２は、バッテリ装置３からの専用バッテリ通知信号を受信した後、外部通信用環状アンテナ４とバッテリ環状アンテナ１０とを電磁的に結合させないようにすることができ、かくして外部通信用環状アンテナ４を用いて外部装置７と正常に近接無線通信することができる。
【００２１】
（２）専用バッテリ判断処理手順
次に図３に示すフローチャートを用いて、携帯電話機２に対してこの携帯電話機２専用のバッテリ装置３が装着されているか否かを判断する専用バッテリ判断処理手順ＲＴ１を説明する。
【００２２】
この専用バッテリ判断処理手順ＲＴ１のステップＳＰ１において携帯電話機２の制御部６は、例えばユーザにより操作部１７を介して電源投入操作が行われると、装着されたバッテリ装置３から供給される駆動電力により駆動開始すると共に、通信中継回路１３のスイッチ１２を制御することにより第１の内部環状アンテナ９及び第２の内部環状アンテナ１１を電気的に接続する。
【００２３】
次いで携帯電話機２の制御部６はステップＳＰ２に移り、この携帯電話機２専用のバッテリであるか否かを通知するように要求する通知要求信号を、通信中継回路１３を介してバッテリ装置３に対して送出する。
【００２４】
続いて携帯電話機２の制御部６は、所定時間内にバッテリ装置３から専用バッテリ通知信号を受信することができると、ステップＳＰ３で肯定結果を得てステップＳＰ４に移り、このバッテリ装置３から供給されている駆動電力によりそのまま駆動し続ける。
【００２５】
これに対して携帯電話機２の制御部６は、所定時間内にバッテリ装置３から専用バッテリ通知信号を受信することができないと、ステップＳＰ３で否定結果を得てステップＳＰ５に移り、この携帯電話機２専用のバッテリが装着されていない旨を示す警告情報を表示部１６に表示する。
【００２６】
（３）動作及び効果
以上の構成において携帯電話機２の制御部６は、バッテリ装置３から通信中継回路１３を介して専用バッテリ通知信号を受信した場合、このバッテリ装置３が携帯電話機２専用のバッテリである旨を認識することができる。これに対してこの携帯電話機２の制御部６は、バッテリ装置３から専用バッテリ通知信号を受信しない場合、携帯電話機２専用のバッテリが装着されていない旨を認識することができる。
【００２７】
この結果携帯電話機２の制御部６は、この携帯電話機２専用のバッテリが装着されていないことを認識すると、この旨をユーザに対して警告することができ、かくして動作不具合を未然に回避することができる。
【００２８】
以上の構成によればこの携帯電話機２は、専用のバッテリが装着されていないことを認識することができるので、この旨をユーザに対して警告することができ、かくして動作不具合を未然に回避することができる。
【００２９】
また本実施の形態の携帯電話機２においては、外部装置７と近接無線通信するための外部通信用環状アンテナ４を、バッテリ装置３との無線通信にも用いるようにしている。これにより、バッテリ装置３との無線通信用に別途回路を設ける必要がなく、格段と構成を簡易化することができる。
【００３０】
また本実施の形態の場合通信中継回路１３の第１及び第２の内部環状アンテナ９、１１を、外部通信用環状アンテナ４及びバッテリ環状アンテナ１０に対して接触させないようにした。これにより、経年変化による接点不良が生じてしまうことを回避することができる。また携帯電話機２とバッテリ装置３とを通信中継回路１３を介して無線通信させるようにしたことにより、有線通信させる場合と比べてクラッキングを困難にすることができる。
【００３１】
また本実施の形態の場合携帯電話機２は、バッテリ装置３から専用バッテリ通知信号を受信することによりこのバッテリ装置３が専用バッテリである旨を認識すると、携帯電話機２の外部通信用環状アンテナ４とバッテリ装置３のバッテリ環状アンテナ１０との間の近接無線通信を中継させていた通信中継回路１３に当該中継を中止させるようにした。これによりこの後携帯電話機２は、バッテリ環状アンテナ１０からの干渉を受けることなく、外部通信用環状アンテナ４を用いて外部装置７と正常に近接無線通信することができる。
【００３２】
また本実施の形態の場合、携帯電話機２とバッテリ装置３との間の無線通信を暗号化して実行させるようにすれば、さらにクラッキングを困難にすることができる。
【００３３】
また本実施の形態の場合バッテリ装置３が、携帯電話機２専用のバッテリである旨を通知する通知信号のみを携帯電話機２に対して送出する場合について述べたが、充電残量等の他の情報を携帯電話機２に対して送出するようにしても良い。
【００３４】
また本実施の形態の場合通信中継回路１３内のスイッチ１２として、ＦＥＴ（Field Effect Transistor）等の半導体スイッチ回路を適用するようにしたことにより、消費電力を低減することができる等の効果を得ることができる。
【００３５】
（４）他の実施の形態
上述した実施の形態において、外部通信用環状アンテナ４とバッテリ環状アンテナ１０との間の無線通信を、通信中継回路１３を介して行う場合について述べたが、本発明はこれに限らず、外部通信用環状アンテナ４とバッテリ環状アンテナ１０との間の無線通信を、通信中継回路１３を介すことなく直接行うようにしても良い。この場合、携帯電話機２にバッテリ装置３が装着された際、外部通信用環状アンテナ４とバッテリ環状アンテナ１０とが電磁的に結合し得るように、外部通信用環状アンテナ４及びバッテリ環状アンテナ１０をそれぞれ配設すれば良い。
【００３６】
また上述した実施の形態においては、電子機器（携帯電話機２）に装着される装着装置として、バッテリ装置３を適用する場合について述べたが、本発明はこれに限らず、例えば、電子機器がパーソナルコンピュータである場合、このパーソナルコンピュータに対して接続される外付けのハードディスクドライブ装置等を適用するようにしても良い。
【００３７】
また上述した実施の形態において携帯電話機２は、この携帯電話機２専用のバッテリが装着されていないと判断した場合、この旨を示した警告情報を表示部１６に表示するようにしたが、本発明はこれに限らず、この旨をユーザに通知することができれば、例えばスピーカ等を介して警告音を発するようにしても良い。また携帯電話機２は、この携帯電話機２専用のバッテリが装着されていないと判断した場合、その動作を強制的に停止するようにしても良い。
【００３８】
また上述した実施の形態においては、携帯電話機２の制御部６が、予め格納されているプログラムに従って、専用バッテリ判断処理手順ＲＴ１等の各種処理を実行する場合について述べたが、本発明はこれに限らず、専用バッテリ判断処理手順ＲＴ１等を実行するための回路を設け、これによりこの処理ＲＴ１等をハードウェア的に実行するようにしても良い。またこの専用バッテリ判断処理手順ＲＴ１等を実行するためのプログラムを、ＣＤ（Compact Disc）等の記録媒体に記録しておいても良い。
【産業上の利用可能性】
【００３９】
本発明は、例えば、携帯電話機とこの携帯電話機を駆動させる駆動電力を供給するためのバッテリとに利用することができる。
【図面の簡単な説明】
【００４０】
【図１】本実施の形態における携帯電話機電力供給システムの構成を示す略線図である。
【図２】各アンテナの位置関係の説明に供する略線図である。
【図３】専用バッテリ判断処理手順を示すフローチャートである。
【符号の説明】
【００４１】
１……携帯電話機電力供給システム、２……携帯電話機、３……バッテリ装置、４……外部通信用環状アンテナ、９……第１の内部環状アンテナ、１０……バッテリ環状アンテナ、１１……第２の内部環状アンテナ、１２……スイッチ、１３……通信中継回路、１４……電力供給部、ＲＴ１……専用バッテリ判断処理手順。
【図１】
0004415270.tif 000002
【図２】
0004415270.tif 000003
【図３】
0004415270.tif 000004